(57)【要約】本発明は、ラジアル磁界を発生するためのスリット（６）が設けられた２個のポット状接触子（１）が、互いに長手方向に相対移動可能に対向して配置され、両ポット状接触子（１）が各々、反対側接触子の側に面する端面（７）を有する側壁（５）と底部（４）とを備えた接触子ホルダ（２）を利用し、各接触子が少なくとも部分的に難燃性接触媒体（８、１４、１６、１７）を有している、真空しゃ断器の接触子装置に関し、その接触媒体（８、１４、１６、１７）が少なくとも、反対側接触子の側に面する接触子ホルダ（２）の底部（４）の底部内側面（４ａ）を覆っている。
2008546158.tif 000002
【特許請求の範囲】
【請求項１】
ラジアル磁界を発生すべくスリット（６）を備えた２個のポット状接触子（１）が互いに長手方向に相対移動可能に対向して配置され、両ポット状接触子（１）が、各々反対側接触子の側に面する端面（７）を有する側壁（５）と底部（４）とを備えた接触子ホルダ（２）を利用し、各接触子が少なくとも部分的に難燃性接触媒体（８、１４、１６、１７）を有する真空しゃ断器の接触子装置において、
接触媒体（８、１４、１６、１７）が、少なくとも反対側接触子の側に面する接触子ホルダ（２）の底部（４）の底部内側面（４ａ）を覆うことを特徴とする真空しゃ断器の接触子装置。
【請求項２】
接触媒体（８、１４、１６、１７）の材料がクロムと銅の組成物からなることを特徴とする請求項１記載の接触子装置。
【請求項３】
接触媒体（８）が円板状接触媒体（８）であることを特徴とする請求項１又は２記載の接触子装置。
【請求項４】
円板状接触媒体（８）が円環部（１０）と窪み部（１１）とを有し、該窪み部（１１）が円環部（１０）に比べて小さな厚みを有することを特徴とする請求項３記載の接触子装置。
【請求項５】
窪み部（１１）の厚みが円環部（１０）の厚みに比べて少なくとも０．５ｍｍ小さいことを特徴とする請求項４記載の接触子装置。
【請求項６】
窪み部（１１）の横断面積が、電極（３）の横断面積より小さいかそれと同じ大きさであることを特徴とする請求項４又は５記載の接触子装置。
【請求項７】
側壁が円胴の形をし、円板状接触媒体（８）が反対側接触子とは反対側のポット側面（１２）に、側壁（５）の内径より小さな外径の円筒状隆起部（１３）を有することを特徴とする請求項３から６の１つに記載の接触子装置。
【請求項８】
接触媒体（１４）が、側壁（５）の端面（８）と内側面（１５）および底部（４）の底部内側面（４ａ）に接することを特徴とする請求項１又は２記載の接触子装置。
【請求項９】
接触媒体（１６、１７）が、端面（７）を覆うための円環部（１６）と、底部内側面（４ａ）を覆うための円板部（１７）とを含むことを特徴とする請求項１又は２記載の接触子装置。
【発明の詳細な説明】
【技術分野】
【０００１】
本発明は、ラジアル磁界を発生するスリットが設けられた２個のポット状接触子が、互いに長手方向に相対移動可能に対向して配置され、両ポット状接触子が各々反対側接触子の側に面する端面を有する側壁と底部とを備えた接触子ホルダを利用し、各接触子が少なくとも部分的に難燃性接触媒体を有する真空しゃ断器の接触子装置に関する。
【０００２】
かかる接触子装置は、独国特許出願公開第３１３８０８６号明細書で公知である。ここ  に開示のポット状接触子は、電極（電流案内部）に接続された接触子ホルダと、円環状端面を備えた壁部とから成っている。接触子ホルダは銅から成っている。接触子ホルダの円環状端面に、接触媒体として無端接触リングが配置され、該リングは、クロムと銅の組成物のような、大きな耐熱強度と大きな機械的強度とを有する接点材料から成っている。かかる接触子装置の場合、接触子の切り離し中に発生するアークは、無端接触リング上を環状に移動しようとするが、大負荷時、特に長いアーク時間において、「脱線する」傾向にある。即ち、例えば底部に向けて走り、このためアークが接触子ホルダ上で燃焼すると言う欠点がある。これは、接触子ホルダ材料の燃焼により望ましくない焼損を生じさせ、事情によっては、アークの再点弧を生じさせ、その結果、消弧特性を不十分にさせてしまう。
【０００３】
本発明の課題は、接触子ホルダへのアークの転移を防止し、接触子装置の消弧特性を向上した、冒頭に述べた形式の接触子装置を提供することにある。
【０００４】
この課題は、本発明に基づき、接触媒体が、少なくとも反対側接触子の側に面する接触子ホルダの底部の底部内側面を覆っていることにより解決される。
【０００５】
かかる本発明に基づく接触子装置では、真空しゃ断器のポット状接触子の切り離し中におけるアークの脱線を防止できる。特に銅で形成した接触子ホルダ上でのアークの燃焼、特にその底部内側面でのアークの燃焼はもはや生じない。本発明に基づく接触子装置の場合、アークは接触媒体上だけで燃焼し、このため、接触子装置は、接触子の切り離し時におけるアークの消弧について大幅に向上した特性を示す。
【０００６】
接触媒体に対する材料として、クロムと銅の組成を利用するとよい。クロムと銅の組成は、大きな難燃性（焼損強度）と大きな機械的強度とを有する。
【０００７】
有利な実施態様において、接触媒体は円板状接触媒体である。かかる形状により、アークがそれに向けて脱線するポット状接触子の全面が、単純な様式で覆われる。
【０００８】
本発明の他の実施態様では、円板状接触媒体が円環部と窪み部を有し、該窪み部は円環部に比べて小さな厚みを有する。この接触子装置の場合、窪み部が小さな伝導率を示す。これは、円板状接触媒体の円環部において旋回アークの運動を追加的に安定化させる。
【０００９】
有利な実施態様では、窪み部の厚みは円環部の厚みより少なくとも０．５ｍｍ小さい。
【００１０】
他の有利な実施態様では、窪み部の横断面積は、電極の横断面積より小さいかそれと同じである。この結果、発生磁界によりアークの良好な案内が可能となり、接触子装置の特性を一層向上できる。
【００１１】
また、側壁が円胴の形をし、円板状接触媒体が反対側接触子とは反対側のポット側面に、側壁の内径より小さな外径の円筒状隆起部を有していると好ましい。この隆起部は、例えば組立時に有効である。即ち、隆起部によって、接触子ホルダにおける円板状接触媒体の案内と心合わせが保証される。円胴状側壁の小さな内径により、中空円筒状側壁の内部における隆起部のはめ合いが形成され、このはめ合いは、ポット状接触子における所望の位置への接触媒体の設置をかなり単純化する。
【００１２】
他の実施態様では、接触媒体が側壁の端面と内側面および底部の底部内側面に接する。この形態でも同様に、組立時における案内と心合わせ、並びにアークがそれに向けて脱線する接触子ホルダの箇所の完全な覆いを保証できる。
【００１３】
接触媒体は、端面を覆うための円環部と、底部内側面を覆うための円板部とを有する。この本発明に基づく接触子装置も、接触子ホルダ上でのアークの燃焼を防止する。
【００１４】
本発明に基づく接触子装置におけるポット状接触子の実施例を、図に概略的に示す。
【００１５】
図１は、電極（電流案内部）３に接続された接触子ホルダ２を備えたポット状接触子１の有利な実施例を示している。接触子ホルダ２は底部４を有し、該底部４に円胴状側壁５を配置している。接触子ホルダ２に、図示す如く、スリット６が設けられ、該スリット６は、ポット状接触子の回転軸線に対し傾斜し、接触子ホルダ２の底部４の少なくとも一部迄切り込まれている。接触子ホルダ２は銅から成る。接触子ホルダ２の端面７に円板状接触媒体８が配置され、該接触媒体８は、大きな耐熱性と大きな機械的強度、それに伴い大きな難燃性（焼損強度）を示す材料、例えばクロムと銅の組成物から成っている。円板状接触媒体８は円環部１０並びに窪み部１１を有し、該窪み部１１は円形をなし、円環部１０に比べ約０．５ｍｍだけ窪んでいる。円板状接触媒体８における底部４の側のポット側面１２に、円胴状側壁５の内径より僅かに小さな外径を持つ円筒状隆起部１３が一体成形されている。この結果、円板状接触媒体８の円筒状隆起部１３が接触子ホルダ２の側壁５にぴったり合い、組立時に円板状接触媒体８が簡単にポット状接触子と心合わせされる。
【００１６】
図２に、異なる形態の接触媒体１４を備えたポット状接触子１を示す。側壁５の端面７と内側面１５および接触子ホルダ２の底部内側面４ａを接触媒体１４で覆っている。
【００１７】
図３は２分割構造の接触媒体の実施例を示す。この場合、円環部１６が接触子ホルダ２の端面７を覆い、円板部１７が接触子ホルダ２の底部内側面４ａを覆っている。
【００１８】
真空しゃ断器における本発明に基づく接触子装置の場合、かかる２個のポット状接触子１が互いに長手方向に相対移動可能に対向して配置されている。接触子ホルダ２は傾斜スリット６によって個々のセグメントに分割され、該セグメントは、真空しゃ断器の両ポット状接触子１の切り離し後、発生アークと共に電流ループを形成する。その際に発生する磁界が、接触子ホルダに配置された接触媒体間でアークを回転させる。上述の各実施例における接触媒体は、長いアーク時間においても、アークが銅材料に移ることと、そこで焼損により望ましくない材料損耗を引き起こすこととを防止する。
【図面の簡単な説明】
【００１９】
【図１】真空しゃ断器における円板状接触媒体付きポット状接触子の概略側面図。
【図２】円板状接触媒体付きポット状接触子の異なる実施例の概略側面図。
【図３】円板状接触媒体付きポット状接触子の更に異なる実施例の概略側面図。
【符号の説明】
【００２０】
１  ポット状接触子、２  接触子ホルダ、３  電極、４  底部、４ａ  底部内側面、５  側壁、６  スリット、７  端面、８  円板状接触媒体、１０、１６  円環部、１１  窪み部、１２  ポット側面、１３  隆起部、１４  接触媒体、１５  側壁内側面、１７  円板部
【図１】
2008546158.tif 000003
【図２】
2008546158.tif 000004
【図３】
2008546158.tif 000005
【国際調査報告】
2008546158.tif 000006
2008546158.tif 000007
2008546158.tif 000008
2008546158.tif 000009
2008546158.tif 000010
2008546158.tif 000011